(57)【特許請求の範囲】
【請求項１】
上下に開口する筒体で形成される鎖樋素体を上下方向に複数配設した鎖樋において、鎖樋素体を軸体に対して回転自在に取付け、該軸体に対して回転自在に取付けた鎖樋素体に雨水の流水力を受けて当該鎖樋素体を回転させるための回転作用部を設け、回転作用部を筒体内に螺旋状に設けた回転羽根部で形成すると共に、上記回転自在な鎖樋素体として、回転羽根部の螺旋の巻き方向が異なることによって、雨水の流水力が回転作用部に作用した際に一方向に回転する鎖樋素体と、雨水の流水力が回転作用部に作用した際に上記一方向とは逆方向に回転する鎖樋素体とを、交互に備えていることを特徴とする鎖樋。
【請求項２】
回転自在な鎖樋素体に、雨水の流水力が回転作用部に作用した際に当該鎖樋素体が回転する際に、当該鎖樋素体の回転の視認を強調させるための回転視認強調手段を設け、この回転視認強調手段は、鎖樋素体の外周面の周方向の一部を他の部分と色を異ならせることによって形成されるもの、樋素体の外周面の周方向の一部を他の部分と形状を異ならせることによって形成されるもの、筒体の外周面部の周方向の一部を透明に他の部分を不透明にすることによって形成されるもの、筒体の全部を透明とするか又は周方向にわたる透明部を設けると共に回転作用部を不透明とすることによって形成されるもの、鎖樋素体の外周面の周方向の一部に突部を設けることによって形成されるもの、鎖樋素体の外周面の周方向の一部に凹部を設けることによって形成されるもの、鎖樋素体の水平断面を非円形にすることによって形成されるもの、から選ばれることを特徴とする請求項１記載の鎖樋。
【発明の詳細な説明】
【技術分野】
【０００１】
本発明は、複数の鎖樋素体を上下方向に配設し、軒樋から排水される雨水を鎖樋素体を伝って流下させるようにした鎖樋に関するものである。
【背景技術】
【０００２】
従来より、軒樋から排水される雨水を鎖樋素体を伝って流下させるようにした鎖樋が知られている。
【０００３】
従来の鎖樋としては、例えば輪状をした鎖樋素体を鎖状に繋いだものがある。この鎖状をした鎖樋は、輪状をした鎖樋素体を輪同士が上下にクロスするように通して上下に繋ぐことで構成してある。
【０００４】
また、鎖樋素体として筒体の上下に逆Ｕ字状をした上繋ぎ部とＵ字状をした下繋ぎ部とを突出し、上下の鎖樋素体をＵ字状をした下繋ぎ部と逆Ｕ字状をした上繋ぎ部とをクロスするように通して上下に繋ぐことで鎖樋を構成したものが特許文献１等により知られている。
【０００５】
一般の縦樋は、筒状をしていて雨水が流下するのが見えないようにしているが、上記した鎖樋は、軒樋から排水される雨水を鎖樋素体を伝って流下する様子を見せることで、筒状の縦樋にはない趣のあるものとすることができるという特徴を有している。
【０００６】
しかしながら、上記いずれの従来例の鎖樋も、雨水が単純に鎖樋素体を伝って流下する様子を見せるだけの機能しかなかった。このため、鎖樋としての「見せるという機能（鎖樋素体を伝って流下する様子を見せる）」がマンネリ化しており、商品価値の高い鎖樋を提供できないのが現状であり、鎖樋のもつ「見せるという機能を」更に発展させることが強く望まれている。
【特許文献１】実開平５−７８２５号公報
【発明の開示】
【発明が解決しようとする課題】
【０００７】
本発明は上記の従来の問題点に鑑みて発明したものであって、鎖樋素体を雨水の流水力により回転させる機能を備えると共に、複数の鎖樋素体の回転が強調されて従来の鎖樋にはない新しい「見せる機能」を備えた鎖樋を提供することを課題とするものである。
【課題を解決するための手段】
【０００８】
上記課題を解決するために本発明に係る鎖樋は、上下に開口する筒体７で形成される鎖樋素体１を上下方向に複数配設した鎖樋２である。鎖樋素体１を軸体３に対して回転自在に取付け、該軸体３に対して回転自在に取付けた鎖樋素体１に雨水の流水力を受けて当該鎖樋素体１を回転させるための回転作用部４を設ける。回転作用部４を筒体７内に螺旋状に設けた回転羽根部１３で形成すると共に、上記回転自在な鎖樋素体１として、回転羽根部１３の螺旋の巻き方向が異なることによって、雨水の流水力が回転作用部４に作用した際に一方向に回転する鎖樋素体１と、雨水の流水力が回転作用部４に作用した際に上記一方向とは逆方向に回転する鎖樋素体１とを、交互に備えていることを特徴とするものである。
【０００９】
このような構成とすることで、流下する雨水の流水力を回転作用部４で受けることで鎖樋素体１を回転させて自然力により「鎖樋素体１が回転する様子を見せる機能」を備えたものとなる。しかも、雨水の流水力が回転作用部４に作用した際に一方向に回転する鎖樋素体１と、雨水の流水力が回転作用部４に作用した際に上記一方向とは逆方向に回転する鎖樋素体１とを備えているので、鎖樋２を構成する複数の鎖樋素体１の回転方向が異なり、鎖樋素体１における回転する様子を見せる機能がより強調される。また、鎖樋素体１を回転させるに当って、雨水の流下力という鎖樋素体１に作用する自然力を利用して異なる方向に回転させるものであるから、鎖樋２の構成が簡略化できる。
【００１０】
また、回転自在な鎖樋素体１に、雨水の流水力が回転作用部に作用した際に当該鎖樋素体１が回転する際に、当該鎖樋素体１の回転の視認を強調させるための回転視認強調手段８を設けることが好ましい。
【００１１】
このような構成とすることで、鎖樋素体１が雨水の流下力という自然力の作用により回転する際、回転視認強調手段８により一方向に回転する鎖樋素体１と逆方向に回転する鎖樋素体１とのそれぞれの回転が強調されて視認でき、回転する様子を見せる機能を備えた複数の鎖樋素体１よりなる鎖樋２の見せる機能を強化できる。
【発明の効果】
【００１２】
本発明は、上記のように、鎖樋素体を軸体に対して回転自在に取付け、該軸体に対して回転自在に取付けた鎖樋素体に雨水の流水力を受けて当該鎖樋素体を回転させるための回転作用部を設けているので、雨水の流水力により鎖樋素体が回転する様子を見せるという機能を備えている。しかも、雨水の流水力が回転作用部に作用した際に一方向に回転する鎖樋素体と、雨水の流水力が回転作用部に作用した際に上記一方向とは逆方向に回転する鎖樋素体とを備えているので、雨水の流水力により鎖樋素体を回転して見せるに当って、複数の鎖樋素体が互に反対方向の関係となるように回転する様子を見せることができ、簡単な構成で従来の鎖樋にはないまったく新しい「見せる機能」を備えた商品価値の高い鎖樋を提供できる。
【発明を実施するための最良の形態】
【００１３】
以下、本発明を添付図面に示す実施形態に基いて説明する。
【００１４】
本発明の鎖樋２は複数の鎖樋素体１を上下方向に隙間１６を介して配設したものであり、上端を軒樋に接続して軒樋から流下する雨水を鎖樋素体１を伝って次々と流下させるようにするためのものである。
【００１５】
本発明においては、鎖樋２を構成する全部の鎖樋素体１又は一部の鎖樋素体１が軸体３に対して回転自在となっている。
【００１６】
図１乃至図４には本発明の一実施形態が示してあり、本実施形態においては、ワイヤーや棒材のように上下方向に長い線状材５により軸体３を構成し、この線状材５に鎖樋素体１を上下方向に複数取付けてあり、複数の鎖樋素体１の全部又は一部が線状材５に対して回転自在に取付けてある。鎖樋素体１を線状材５よりなる軸体３に回転自在に取付けるには、例えば、鎖樋素体１の中心に中心軸部１０を設け、この中心軸部１０に上下に貫通する孔１１をあけ、該孔１１に線状材５を遊挿し、線状材５に設けた落下防止部１２に中心軸部１０の下端を載置することで、鎖樋素体１を線状材５に回転自在に取付ける。
【００１７】
軸体３（線状材５）に対して回転自在に取付けた鎖樋素体１には雨水の流水力を受けて当該鎖樋素体１を回転させるための回転作用部４が設けてある。
【００１８】
ここで、本発明においては、鎖樋２を構成する複数の回転自在な鎖樋素体１としては、雨水の流水力が回転作用部４に作用した際に一方向に回転する鎖樋素体１と、雨水の流水力が回転作用部４に作用した際に上記一方向とは逆方向に回転する鎖樋素体１とを備えている。
【００１９】
すなわち、図３に示すものは一方向回りに回転する鎖樋素体１の例が示してあり、図４には図３とは逆方向に回転する鎖樋素体１の例が示してある。この図３、図４に示す実施形態のものはいずれも、筒体７内に螺旋状に回転羽根部１３を１乃至複数中心軸部１０周りに設けることで回転作用部４が構成してあり、回転羽根部１３の内周縁及び外周縁はそれぞれ中心軸部１０及び筒体７内面に当接又は固着又は一体化してあり、図３の鎖樋素体１と図４の鎖樋素体１とは中心軸部１０周りに形成する回転羽根部１３のねじり方向（螺旋の向き）が逆方向となっている。
【００２０】
本発明の鎖樋２においては、図３、図４に示す回転方向が異なる鎖樋素体１を備えたものであり、図３に示す実施形態の鎖樋素体１は、上開口１４から鎖樋素体１内に雨水が流入すると、雨水は中心軸部１０周りに形成した螺旋状をした回転羽根部１３の傾斜面に当って回転羽根部１３上を螺旋流となって流下するものであるが、この際、上開口１４から回転羽根部１３の傾斜面に図１の矢印イのように当ることで回転羽根部１３が軸体３である線状材５を中心に一方向（矢印ロ方向）に回転する力が作用し、また、螺旋状となった回転羽根部１３に沿って雨水が螺旋流となって鎖樋素体１内を流れることで、鎖樋素体１を更に回転する力が作用し、これにより鎖樋素体１が線状材５を中心に図１の矢印ロのように回転する。
【００２１】
このように鎖樋素体１を一方向（矢印ロ方向）に回転させながら自身も螺旋流となった雨水は筒体７の下開口１５から下方に螺旋流となって流下し、隙間１６を介して下に位置する別の鎖樋素体１の上開口１４内に流下する。
【００２２】
図１、２においてはこの下に位置する別の鎖樋素体１として図４に示す鎖樋素体１が用いてあるので、この下の鎖樋２の上開口１４から鎖樋素体１内に雨水が流入すると、雨水は中心軸部１０周りに形成した螺旋状をした回転羽根部１３の傾斜面に当って回転羽根部１３上を螺旋流となって流下する。この際、上開口１４から回転羽根部１３の傾斜面に図１のハのように当ることで回転羽根部１３が軸体３である線状材５を中心に上記一方向とは逆方向（矢印ニ方向）に回転する力が作用し、また、螺旋状となった回転羽根部１３に沿って雨水が螺旋流となって鎖樋素体１内を流れることで、鎖樋素体１を更に回転する力が作用し、これにより鎖樋素体１が線状材５を中心に図１の矢印ニのように回転する。
【００２３】
同様にして次々と、鎖樋素体１が線状材５を中心にして一方向、逆方向に回転することで、全ての鎖樋素体１を回転することができる。
【００２４】
この実施形態においては、上記のように雨水が流れると、雨水の流水力により鎖樋素体１が回転する様子が見え、また、上下の鎖樋素体１間の隙間１６においては雨水が螺旋流となって流れる様子が見える。特に、一方向に回転する鎖樋素体１と、逆方向に回転する鎖樋素体１とが混在しているので、鎖樋２を構成する複数の鎖樋素体１の回転方向が異なり、鎖樋素体１における回転する様子を見せる機能がより強調されることになる。
【００２５】
これにより、従来の鎖樋素体１が回転せず、また、鎖樋素体１間の隙間１６においては雨水が真っ直ぐ流れる様子しか見えないものに比べて、従来の鎖樋２では現出できなかった、雨水の動き、鎖樋素体１の動きを現出できることになる。
【００２６】
また、鎖樋素体１を流れる雨水の流量により鎖樋素体１の回転速度が変化する。このため、鎖樋２を流れる雨水の流量の変化に対応して鎖樋素体１の回転速度が変化することになり、この点でも、雨天時に時間の経過と共に雨量が変化することで、時間の経過と共に回転速度が変化していく趣のある鎖樋２とすることができる。
【００２７】
上記図１、図２に示す実施形態においては、図３に示す鎖樋素体１と、図４に示す回転作用部４を構成する螺旋状をした回転羽根部１３の螺旋の巻き方向が逆になった鎖樋素体１とを上下に交互に配置した例を示している。
【００２８】
また、上記実施形態では全部の鎖樋素体１を軸体３を構成する線状材５に対して回転できるようにし、全ての鎖樋素体１のうち一部が一方向に回転し、且つ、他が逆方向に回転する例を示したが、一部の複数の鎖樋素体１が回転作用部４を備えて軸体３に対して回転できるが、他の鎖樋素体１は回転作用部４を備えず且つ回転しないようにしたものであってもよく、この場合は、複数の回転する鎖樋素体１としては、一方向に回転するものと、逆方向に回転するものとが混在するようにする。そして、この実施形態においては、鎖樋２を構成する複数の鎖樋素体１のうち一部の鎖樋素体１が一方向と逆方向にそれぞれ回転し、一部が鎖樋素体１が回転しない状態となり、一方向と逆方向に回転する各鎖樋素体１の下端から雨水が一方向回りと逆方向回りの各螺旋流でそれぞれ流下する様子が見え、回転しない鎖樋素体１の下端から雨水が下方に真っ直ぐ流下する様子が見え、回転する鎖樋素体１と回転しない鎖樋素体１とが上下方向に混在すると共に、螺旋流と、真っ直ぐな流れとが上下方向に混在し、変化に富んだ雨水の動き、鎖樋素体１の動、静の対比とが強調される鎖樋２を提供できる。
【００２９】
図５乃至図７には本発明の他の実施形態が示してある。
【００３０】
この実施形態においては、一方向に回転する鎖樋素体１と逆方向に回転する鎖樋素体１との回転速度が異なるようにしている。
【００３１】
例えば、図３に示す一方向に回転する鎖樋素体１と図７に示す逆方向に回転する鎖樋素体１とを上下方向に配置して鎖樋２を構成してあり、図３に示す鎖樋素体１と図７に示す鎖樋素体１とは、回転羽根部１３の螺旋の巻き方向が異なるだけでなく螺旋状をした回転羽根部１３の傾斜角度を変えてある。このように、回転羽根部１３の螺旋の巻き方向を異ならせ且つ回転作用部４を構成する螺旋状をした回転羽根部１３の傾斜角度を変えることで、回転方向が異なるだけでなく、傾斜角度の緩いものは流水力の作用による回転速度が速く、傾斜角度の急なものは流水力の作用による回転速度が遅くなり、これにより回転方向が異なるだけでなく、速く回転する鎖樋素体１と、遅く回転する鎖樋素体１とが上下方向に混在し、よりいっそう変化に富んだ動きをする鎖樋２とすることができる。
【００３２】
また、上記例においては、ワイヤーや棒材のように上下方向に長い線状材５により軸体３を構成し、この線状材５に鎖樋素体１を上下方向に複数取付けた例を示したが、図８乃至図１１に示すように、鎖樋素体１を回転自在に取付けた軸体３に繋ぎ部６を設け、上下の鎖樋素体１を繋ぎ部６で繋ぐことで、上下方向に複数の鎖樋素体１を配設した鎖樋２を構成するようにしてもよい。実施形態では、上端部又は下端部のいずれかに上又は下の繋ぎ部６を設けた軸体３を中心軸部１０の孔１１に遊挿し、軸体３の下端又は上端に下又は上の繋ぎ部６を取付ける。下の繋ぎ部６の上部には中心軸部１０の下端部の下端が落下するための落下防止部１２が設けてある。そして、図１０に示す一方向に回転する鎖樋素体１と、図１１に示す鎖樋素体１と逆方向に回転する鎖樋素体１とを用いて、上の鎖樋素体１の軸体３の下端部に設けた下の繋ぎ部６に、下の鎖樋素体１の軸体３の上端部に設けた上の繋ぎ部６を連結して繋ぐことで上下に複数の鎖樋素体１を配設した鎖樋２を構成することができる。
【００３６】
また、上記各実施形態に用いる鎖樋素体１は、上下に開口した筒体７内に回転作用部４を設けることで、鎖樋素体１が回転しても雨水が筒体７内を流れるため遠心力による雨水の飛散を筒体７により防止できるようにしているが、これにのみ限定されず、図示を省略しているが、回転作用部４が外部に露出しているものであってもよい。
【００３７】
このように回転作用部４が外部に露出しているものにおいては、雨水の流下力により傾斜した回転作用部４が回転する様子が見えるのに加え、回転する回転作用部４に沿って雨水が螺旋状に流れる様子が見え、従来の鎖樋２では現出できなかった新しい雨水の流れる様子を現出できる。
【００３８】
上記いずれの実施形態においても、軸体３に回転自在に取付けた雨水の流水力により回転する鎖樋素体１に、当該鎖樋素体１が雨水の流水力により回転する際に、当該鎖樋素体１の回転の視認を強調させるための回転視認強調手段８を設けてもよい。
【００３９】
例えば、鎖樋素体１の外周面の周方向の一部を他の部分と色あるいは形状を異ならせて該色あるいは形状を違わせることで回転視認強調手段８を構成する。この実施形態では鎖樋素体１が回転すると外周面の周方向の一部の色あるいは形状の異なる部分である回転視認強調手段８が軸体３を中心に公転するように視認できて、鎖樋素体１の回転がより強調して視認できることになる。
【００４０】
また、図示を省略しているが、筒体７の外周面部の周方向の一部を透明、他の部分を不透明とすることで回転視認強調手段８を構成してもよい。この場合は、鎖樋素体１が回転することで、筒体７の透明の部分が軸体３を中心に公転するように視認できて、透明の部分から筒体７内が間欠的に視認されることで、鎖樋素体１の回転がより強調して視認できることになる。この場合は、筒体７内の回転作用部４及び螺旋流が間欠的に見えることになる。
【００４１】
また、図示を省略しているが、筒体７の全部透明とするか又は周方向にわたる透明部を設けて回転視認強調手段８を構成して、内部の回転作用部４の回転及び螺旋流が見えるようにしてもよい。この場合、回転作用部４を不透明とすることで、透明な筒体７を介して内部の回転作用部４の回転がよく視認できる。
【００４２】
また、鎖樋素体１の外周面の周方向の一部を他の部分と形状を異ならせるに当たっては、一部に突部や凹部を形成したりするが、図１３、図１４に示すように鎖樋素体１の水平断面形状を非円形としてもよい。図１３、図１４においては筒体７のコーナ部分１７が回転視認強調手段８となっている。
【図面の簡単な説明】
【００４３】
【図１】本発明の一実施形態の鎖樋の正面図である。
【図２】同上の断面図である。
【図３】同上に用いる一方向に回転する鎖樋素体を示し、（ａ）は平面図であり、（ｂ）は斜視図であり、（ｃ）は一部破断した斜視図である。
【図４】同上に用いる逆方向に回転する鎖樋素体を示し、（ａ）は平面図であり、（ｂ）は斜視図であり、（ｃ）は一部破断した斜視図である。
【図５】本発明の一実施形態の鎖樋の正面図である。
【図６】同上の断面図である。
【図７】同上に用いる逆方向に回転する鎖樋素体を示し、（ａ）は平面図であり、（ｂ）は斜視図であり、（ｃ）は断面図である。
【図８】本発明の更に他の実施形態の鎖樋の正面図である
【図９】同上の断面図である。
【図１０】同上に用いる一方向に回転する鎖樋素体を示し、（ａ）は斜視図であり、（ｂ）は分解斜視図である。
【図１１】同上に用いる他方向に回転する鎖樋素体を示し、（ａ）は斜視図であり、（ｂ）は分解斜視図である。
【図１２】本発明の鎖樋素体に回転視認強調手段を設けた一例を示す斜視図である。
【図１３】同上の回転視認手段を設けた鎖樋素体の他例を示す平面図である。
【図１４】同上の回転視認手段を設けた鎖樋素体の更に他例を示す平面図である。
【符号の説明】
【００４４】
１  鎖樋素体
２  鎖樋
３  軸体
４  回転作用部
７  筒体
８  回転視認強調手段
１３  回転羽根部
【図１】
0004518163.tif 000002
【図２】
0004518163.tif 000003
【図３】
0004518163.tif 000004
【図４】
0004518163.tif 000005
【図５】
0004518163.tif 000006
【図６】
0004518163.tif 000007
【図７】
0004518163.tif 000008
【図８】
0004518163.tif 000009
【図９】
0004518163.tif 000010
【図１０】
0004518163.tif 000011
【図１１】
0004518163.tif 000012
【図１２】
0004518163.tif 000013
【図１３】
0004518163.tif 000014
【図１４】
0004518163.tif 000015